(57)【要約】【課題】簡易な構成でありながら、媒体の誤投入を防止できるようにする。【解決手段】  ビルプレス２１と収納部３Ｂの前壁との間に、ビルプレス２１が収納部３Ｂの後壁側にスライドすることにともなってビルプレス２１と収納部３Ｂの前壁との間の紙幣非収納領域Ａｒ２を覆うように展開されるビルプレスシャッタ２５を設けるようにした。こうすることで、電動式のシャッタなどを設けることなく、職員が紙幣非収納領域Ａｒ２内に誤って紙幣を投入してしまうことを防ぐことができる。【選択図】図３
2014099034.tif 000002
【特許請求の範囲】
【請求項１】
媒体の投入口となる開口を有し、当該投入口から投入された媒体を収納する収納部と、
上記収納部内の一端側の壁部と他端側の壁部との間を移動可能で、上記投入口から投入された媒体を、上記収納部の他端側の壁部に押し当てる媒体プレス部と、
上記媒体プレス部と上記収納部の一端側の壁部との間に掛け渡され、上記媒体プレス部が上記媒体プレス部と上記収納部の他端側の壁部との間の媒体収納領域に投入された媒体を上記収納部の他端側の壁部に押し当てるために上記収納部の一端側から他端側に移動することにともなって、上記媒体プレス部と上記収納部の一端側の壁部との間の媒体非収納領域に展開する展開部と
を有する媒体処理装置。
【請求項２】
上記収納部の他端側の壁部と上記媒体プレス部との間の部分の開口が上記投入口となっている
請求項１に記載の媒体処理装置。
【請求項３】
上記媒体プレス部は、
初期位置として上記収納部の一端側の壁部近傍に配置され、上記投入口から上記媒体収納領域に媒体が投入されると、上記収納部の他端側に移動することで、投入された媒体を上記収納部の他端側の壁部に押し当て、
上記媒体プレス部により上記収納部の他端側の壁部に押し当てられた媒体が、上記収納部の他端側に設けられた取込口から取り込まれる
請求項２に記載の媒体処理装置。
【請求項４】
上記展開部は、
折り畳み式のシャッタであり、
上記媒体プレス部が上記収納部の一端側から他端側に移動することにともなって、折り畳まれた状態から展開していくことにより、上記媒体プレス部と上記収納部の一端側の壁部との間の媒体非収納領域を遮蔽する
請求項３に記載の媒体処理装置。
【請求項５】
上記シャッタは、
展開した後、上記媒体プレス部が上記収納部の一端側に戻ることにともなって折り畳まれて、上記媒体プレス部と上記収納部の一端側の壁部との間の媒体非収納領域に格納される
請求項４に記載の媒体処理装置。
【請求項６】
上記シャッタは、
２枚の板状部材を蝶番状に連結したものであり、
連結部分を境に上記２枚の板状部材を閉じるようにして折り畳まれ、折り畳まれた状態から、連結部分を境に上記２枚の板状部材を開くようにして展開する
請求項５に記載の媒体処理装置。
【請求項７】
上記シャッタは、
複数の板状部材を重ねてスライド自在に連結したものであり、
上記複数の板状部材が層状に重なるようにして折り畳まれ、折り畳まれた状態から、上記複数の板状部材同士の重なり部分が小さくなるように各板状部材がスライドすることで展開する
請求項５に記載の媒体処理装置。
【請求項８】
上記シャッタは、
フィルム状の素材でなり、
撓むことで折り畳まれ、撓みが小さくなるように広がることで展開する
請求項５に記載の媒体処理装置。
【請求項９】
上記展開部は、
上記収納部の外側のスペースに格納され、
上記媒体プレス部が上記収納部内の一端側から他端側に移動することにともなって、上記スペースから上記収納部の内側へと引き込まれて展開していくことで上記媒体非収納領域を遮蔽する
請求項３に記載の媒体処理装置。
【請求項１０】
上記媒体プレス部は、
上記シャッタの一端部に、上記収納部の他端側の壁部に対して傾き自在に連結されている
請求項３に記載の媒体処理装置。
【請求項１１】
上記収納部の一端側に、上記媒体プレス部が上記収納部の一端側の壁部近傍に位置しているときの上記媒体プレス部と上記収納部の一端側の壁部との間の媒体非収納領域を覆うためのカバーが設けられ、
上記カバーによって、上記媒体非収納領域内に折り畳まれた状態で格納されている上記シャッタが遮蔽される
請求項３に記載の媒体処理装置。
【請求項１２】
上記シャッタは、
上記媒体プレス部が上記収納部の他端側の壁部近傍にまで移動したときに、上記シャッタの他端部分が、上記媒体プレス部よりも、上記収納部の他端側に突出するようになっていて、
上記媒体プレス部が上記収納部の他端側の壁部近傍にまで移動したときに、上記突出する部分によって、上記媒体プレス部と上記収納部の他端側の壁部との間の上記媒体収納領域が遮蔽される
請求項３に記載の媒体処理装置。
【発明の詳細な説明】
【技術分野】
【０００１】
本発明は、媒体処理装置に関し、例えば、媒体として紙幣を扱う紙幣処理装置に適用して好適なものである。
【背景技術】
【０００２】
従来、紙幣処理装置には、図１９に示すような入金部２００が設けられている。この入金部２００は、上面が開口している箱型の収納部２００Ａを有していて、この収納部２００Ａの開口の一部が紙幣の投入口２００Ｂとなる。
【０００３】
また収納部２００Ａの底には、その一端側（例えば後端側）に、収納部２００Ａ内に投入された紙幣の取込口２００Ｃが設けられている。
【０００４】
さらに入金部２００には、収納部２００Ａの後壁から一部が突出するようにしてピックアップローラ２０１が設けられ、さらに収納部２００Ａの後壁と平行な状態で、収納部２００Ａ内を前後方向にスライド可能な板状のビルプレス２０２が設けられている。
【０００５】
さらに取込口２００Ｃの下方近傍には、フィードローラ２０３とゲートローラ２０４とが前後方向に対向配置されている。
【０００６】
実際、この入金部２００は、紙幣投入時には、ビルプレス２０２が収納部２００Ａの前壁近傍に位置していて、このビルプレス２０２と収納部２００Ａの後壁との間の部分の開口が投入口２００Ｂとなる。
【０００７】
そして、入金部２００は、この投入口２００Ｂから、ビルプレス２０２と収納部２００Ａの後壁との間の領域（これを紙幣収納領域とも呼ぶ）Ａｒ１０内に紙幣ＢＬが投入される。
【０００８】
その後、入金部２００は、ビルプレス２０２を収納部２００Ａの後壁へと近づけるようにスライドさせることにより、紙幣ＢＬをピックアップローラ２０１に押し付けると共に、ビルプレス２０２とピックアップローラ２０１との間で挟持する。
【０００９】
ここで、ピックアップローラ２０１に押し付けられた紙幣ＢＬは、ピックアップローラ２０１が回転することで１枚ずつ分離させられて下方の取込口２００Ｃへと繰り出され、さらにフィードローラ２０３とゲートローラ２０４とにより取込口２００Ｃから紙幣処理装置２００内へと取り込まれる。
【００１０】
このようにして、紙幣処理装置２００は、入金される紙幣を１枚ずつ取り込んでいくようになっている（例えば特許文献１参照）。
【先行技術文献】
【特許文献】
【００１１】
【特許文献１】特開２０１１−８４１２公報
【発明の概要】
【発明が解決しようとする課題】
【００１２】
ところで、入金部２００では、紙幣の取込時に、ビルプレス２０２をピックアップローラ２０１に近づけるよう後方にスライドさせることになるが、このスライドにともなってビルプレス２０２と収納部２００Ａの前壁との間の領域（これを紙幣非収納領域とも呼ぶ）Ａｒ１１が広がっていく。
【００１３】
この紙幣非収納領域Ａｒ１１は、ビルプレス２０２をスライドさせるためのバネなどの内部機構２０５が設けられた領域であり、この紙幣非収納領域Ａｒ１１内に誤って紙幣が投入されると、これによって紙幣処理装置が装置異常を引き起こす恐れがある。
【００１４】
このような問題を防ぐ手段として、従来の紙幣処理装置には、入金部２００の上側に、投入口２００Ｂを開く方向及び閉じる方向にスライド可能な電動式のシャッタ２０６が設けられている。
【００１５】
すなわちこの紙幣処理装置は、紙幣投入時、シャッタ２０６を開いて投入口２００Ｂを露出させ、この投入口２００Ｂから紙幣収納領域Ａｒ１０内に紙幣を投入させる。尚、このとき、ビルプレス２０２は、収納部２００Ａの前壁近傍に位置している。
【００１６】
その後、紙幣の投入が完了すると、シャッタ２０６を閉じて投入口２００Ｂを閉鎖したうえで、ビルプレス２０２を後方にスライドさせる。このとき、入金部２００では、ビルプレス２０２が後方にスライドすることにともなって紙幣非収納領域Ａｒ１１が広がっていくことになるが、シャッタ２０６が閉じていることで、この紙幣非収納領域Ａｒ１１内に紙幣が誤投入されることを防ぐようになっている。
【００１７】
このようにして、従来の紙幣処理装置では、入金部２００の紙幣非収納領域Ａｒ１１内に紙幣が誤投入されることを防ぐようになっている。
【００１８】
しかしながら、上述したような電動式のシャッタ２０６を追加した場合、別途、シャッタ２０６をスライドさせるモータなどの駆動部を追加したり、シャッタ２０６のスライドを制御したりしなければならず、その分、紙幣処理装置の構成が複雑になってしまうという問題が新たに生じる。
【００１９】
本発明は以上の点を考慮したもので、簡易な構成でありながら、媒体の誤投入を防止する媒体処理装置を提案しようとするものである。
【課題を解決するための手段】
【００２０】
かかる課題を解決するため本発明の媒体処理装置においては、媒体の投入口となる開口を有し、当該投入口から投入された媒体を収納する収納部と、収納部内の一端側の壁部と他端側の壁部との間を移動可能で、投入口から投入された媒体を、収納部の他端側の壁部に押し当てる媒体プレス部と、媒体プレス部と収納部の一端側の壁部との間に掛け渡され、媒体プレス部が媒体プレス部と収納部の他端側の壁部との間の媒体収納領域に投入された媒体を収納部の他端側の壁部に押し当てるために収納部の一端側から他端側に移動することにともなって、媒体プレス部と収納部の一端側の壁部との間の媒体非収納領域に展開される展開部とを設けるようにした。
【００２１】
このように、媒体プレス部と収納部の一端側の壁部との間に掛け渡されている展開部が、媒体プレス部の移動にともなって、媒体プレス部と収納部の一端側の壁部との間の媒体非収納領域に展開されるようにした。こうすることで、電動式のシャッタのような大掛かりな機構を別途追加することなく、媒体プレス部と収納部の一端側の壁部との間の媒体非収納領域に媒体を投入してはいけないことを使用者に認識させることができると共に、この媒体非収納領域に媒体が誤投入されることを防ぐことができる。
【発明の効果】
【００２２】
本発明によれば、電動式のシャッタのような大掛かりな機構を別途追加することなく、媒体非収納領域に媒体を投入してはいけないことを使用者に認識させることができると共に、この媒体非収納領域に媒体が誤投入されることを防ぐことができ、かくして簡易な構成でありながら、媒体の誤投入を防止する媒体処理装置を実現できる。
【図面の簡単な説明】
【００２３】
【図１】紙幣処理装置の外観構成を示す略線図である。
【図２】紙幣処理装置の内部構成を示す略線図である。
【図３】第１の実施の形態における入金部の構成（１）を示す略線図である。
【図４】第１の実施の形態における入金部の構成（２）を示す略線図である。
【図５】第１の実施の形態における連結部の構成（１）を示す略線図である。
【図６】第１の実施の形態における連結部の構成（２）を示す略線図である。
【図７】第１の実施の形態における連結部の構成（３）を示す略線図である。
【図８】第２の実施の形態における入金部の構成を示す略線図である。
【図９】他の実施の形態における入金部の構成（１）を示す略線図である。
【図１０】他の実施の形態における入金部の構成（２）を示す略線図である。
【図１１】他の実施の形態における入金部の構成（３）を示す略線図である。
【図１２】他の実施の形態における入金部の構成（４）を示す略線図である。
【図１３】他の実施の形態における入金部の構成（５）を示す略線図である。
【図１４】他の実施の形態における入金部の構成（６）を示す略線図である。
【図１５】他の実施の形態における入金部の構成（７）を示す略線図である。
【図１６】他の実施の形態における入金部の構成（８）を示す略線図である。
【図１７】他の実施の形態における連結部の構成を示す略線図である。
【図１８】他の実施の形態における入金部の構成（９）を示す略線図である。
【図１９】従来の入金部の構成を示す略線図である。
【発明を実施するための形態】
【００２４】
以下、発明を実施するための形態について、図面を用いて詳細に説明する。
【００２５】
［１．第１の実施の形態］
［１−１．紙幣処理装置の外観構成］
まず第１の実施の形態について説明する。図１に、紙幣処理装置１の外観構成を示す。この紙幣処理装置１は、金融機関の職員（例えば受付窓口員）または金融機関を利用する顧客が操作する職員・顧客操作型端末であり、職員や顧客の操作に基づいて紙幣の入出金処理を行うようになっている。
【００２６】
この紙幣処理装置１は、筐体２の上端部に、入金部３（図２参照）の投入口３Ａ、出金部４（図２参照）の排出口４Ａ、表示部５、及び操作部６が設けられている。
【００２７】
入金部３は、職員により投入口３Ａから入金紙幣が投入されると、これを１枚ずつ分離して紙幣処理装置１内に取り込んでいくようになっている。
【００２８】
出金部４は、出金紙幣を集積して、これを排出口４Ａから職員に取り出させるようになっている。またこの出金部４には、排出口４Ａを開閉するシャッタ（図示せず）が設けられている。このシャッタは、紙幣の排出時に開くようになっている。
【００２９】
表示部５は、例えば液晶ディスプレイでなり、メニュー画面、各種処理の結果画面などを表示する。操作部６は、例えばボタンでなり、紙幣処理装置１に対する操作を受け付ける。
【００３０】
尚、紙幣処理装置１では、表示部５と操作部６とを別々に設けているが、例えばタッチパネル付き液晶ディスプレイなどを利用して、表示部５と操作部６とを一体に設けるようにしてもよい。
【００３１】
さらにこの紙幣処理装置１は、図示していないが、ネットワークを介して金融機関の他の端末やホストコンピュータと通信でき、他の端末やホストコンピュータとの間で各種情報を送受したり、他の端末側から操作したりできるようにもなっている。
【００３２】
［１−２．紙幣処理装置の内部構成］
次に、図２を用いて、紙幣処理装置１の内部構成について説明する。
【００３３】
紙幣処理装置１の筐体２内には、上述した入金部３、出金部４にくわえて、鑑別部１０、一時保留部１１、紙幣カセット１２Ａ〜１２Ｄ、リジェクト庫付き紙幣カセット１３及び搬送路１４が設けられて入る。
【００３４】
具体的には、筐体２内の上部に、入金部３が後側、出金部４が前側となるように、これら入金部３と出金部４とが前後方向に並べて設けられている。
【００３５】
また、出金部４の前方ななめ下には、一時保留部１１が設けられ、この一時保留部１１より後方で、入金部３の後方ななめ下には、鑑別部１０が設けられている。
【００３６】
さらに、筐体２内の下部には、紙幣カセット１２Ａ〜１２Ｄとリジェクト庫付き紙幣カセット１３とが前後方向に並べて設けられている。
【００３７】
尚、この紙幣処理装置１では、リジェクト庫付き紙幣カセット１３が最も前側で、その後ろに、紙幣カセット１２Ａ、１２Ｂ、１２Ｃ、１２Ｄの順で、紙幣カセット１２Ａ〜１２Ｄが並べて設けられるようになっている。
【００３８】
さらに、筐体２内には、これら入金部３、出金部４、鑑別部１０、一時保留部１１、紙幣カセット１２Ａ〜１２Ｄ及びリジェクト庫付き紙幣カセット１３の各部を繋ぐ搬送路１４が設けられている。
【００３９】
入金部３は、上面が開口している箱型の収納部３Ｂを有している。この収納部３Ｂの開口の一部が上述した投入口３Ａとなる。この入金部３は、入金取引時に、投入口３Ａから収納部３Ｂ内に投入された入金紙幣を１枚ずつ分離して紙幣処理装置１内に取り込んでいくようになっている。
【００４０】
出金部４は、上面が開口している箱型の集積部４Ｂを有している。この集積部４Ｂの開口が上述した排出口４Ａとなる。この出金部４は、出金取引時に、紙幣カセット１２Ａ〜１２Ｄなどから搬送されてくる出金紙幣を集積部４Ｂに集積するようになっている。
【００４１】
さらにこの出金部４には、排出口４Ａを開閉するシャッタ（図示せず）が設けられている。このシャッタは、出金紙幣が集積部４Ｂに集積された後に開くようになっていて、このシャッタが開くことで、職員が集積部４Ｂに集積されている出金紙幣を排出口４Ａから取り出すことができるようになっている。
【００４２】
これら入金部３及び出金部４は、下端部より上端部が前方に位置するよう前方に傾いた状態で固定されている。尚、これら入金部３及び出金部４については、このような固定式に限らず、例えば、前後方向の傾きを調整可能な可動式であってもよい。
【００４３】
鑑別部１０は、搬送路１４を介して１枚ずつ搬送されてくる紙幣の金種、真偽、正損、走行状態などを鑑別するようになっている。そして、この鑑別部１０は、その鑑別結果に基づいて、紙幣ごとに、取り扱うことのできる正常紙幣か取り扱うことのできないリジェクト紙幣かを判定するようになっている。
【００４４】
一時保留部１１は、入金部３から取り込まれて鑑別部１０により正常紙幣と判定された紙幣を一時的に集積する。このようにして一時保留部１１に集積された紙幣は、取引成立後に、一時保留部１１から繰り出されて鑑別部１０に搬送され、鑑別部１０により金種が特定された後、紙幣カセット１２Ａ〜１２Ｄに搬送され収納される。
【００４５】
尚、一時保留部１１は、紙幣を順次重ねて集積する集積式であってもよいし、紙幣をドラムにテープと共に巻き付けて収納するドラム式であってもよい。
【００４６】
紙幣カセット１２Ａ〜１２Ｄは、それぞれ、紙幣を金種ごとに収納可能な縦長の紙幣収納庫１５Ａ〜１５Ｄを有し、搬送路１４を介して搬送されてくる紙幣を、この紙幣収納庫１５Ａ〜１５Ｄ内に上下方向に重ねて集積するようになっている。また紙幣カセット１２Ａ〜１２Ｄは、紙幣を収納するだけでなく、紙幣収納庫１５Ａ〜１５Ｄ内に集積されている紙幣を１枚ずつ搬送路１４に繰り出すことができるようにもなっている。
【００４７】
さらに紙幣カセット１２Ａ〜１２Ｄは、それぞれ個別に紙幣処理装置１から着脱可能な着脱式となっている。
【００４８】
尚、これら紙幣カセット１２Ａ〜１２Ｄについて、ここでは着脱式としたが、着脱不可能な固定式であってもよい。
【００４９】
リジェクト庫付き紙幣カセット１３は、上側に紙幣収納庫１３Ａ、下側にリジェクト庫１３Ｂを有している。このリジェクト庫付き紙幣カセット１３も、紙幣処理装置１から着脱可能な着脱式となっている。
【００５０】
このリジェクト庫付き紙幣カセット１３では、例えば、紙幣回収時に、紙幣カセット１２Ａ〜１２Ｄから繰り出された紙幣を紙幣収納庫１３Ａに収納する。その後、職員が、このリジェクト庫付き紙幣カセット１３を紙幣処理装置１から取り外すことで紙幣を回収するようになっている。
【００５１】
また紙幣補充時には、紙幣収納庫１３Ａに補充紙幣を収納したリジェクト庫付き紙幣カセット１３を、職員が、紙幣処理装置１にセットする。その後、紙幣収納庫１３Ａに収納されている補充紙幣は、リジェクト庫付き紙幣カセット１３から繰り出されて、鑑別部１０を経由して紙幣カセット１２Ａ〜１２Ｄに搬送され補充される。紙幣処理装置１では、このようにして紙幣の補充を行うようになっている。
【００５２】
このように、リジェクト庫付き紙幣カセット１３の紙幣収納庫１３Ａは、複数の用途に利用できるようになっている。
【００５３】
またリジェクト庫付き紙幣カセットのリジェクト庫１３Ｂは、鑑別部１０によってリジェクト紙幣と判定された紙幣を集積するようになっている。
【００５４】
またこの紙幣処理装置１の筐体２内には、所定箇所に、全体を制御する制御部（図示せず）が設けられている。
【００５５】
紙幣処理装置１は、以上の構成でなり、制御部が、鑑別部１０による紙幣の鑑別結果などをもとに各部を制御して、紙幣の入金処理及び出金処理を行うようになっている。
【００５６】
すなわち、紙幣処理装置１は、入金取引時、職員により、操作部６を介して取引項目（この場合、入金）などが入力され、さらに投入口３Ａから入金部３に紙幣が投入されると、投入された紙幣を１枚ずつ鑑別部１０に搬送する。
【００５７】
ここで、紙幣処理装置１は、鑑別部１０により正常紙幣と判定された紙幣については一時保留部１１に搬送して一時的に収納する。一方で、入金に適さない入金リジェクト紙幣と判定された紙幣については出金部４へ戻して、シャッタを開くことで職員に返却する。
【００５８】
その後、職員により入金金額が確定されると、一時保留部１１に収納している紙幣を鑑別部１０に搬送して金種を鑑別し、その金種に応じて、各紙幣カセット１２Ａ〜１２Ｄへ搬送して保管するようになっている。
【００５９】
一方、出金取引時、紙幣処理装置１は、職員により操作部６を介して、取引項目（この場合、出金）、出金金額などが入力されると、要求金額に応じて必要な金種毎の紙幣枚数を認識し、この金種毎の紙幣枚数に応じて各紙幣カセット１２Ａ〜１２Ｄから紙幣を１枚ずつ繰り出して、鑑別部１０に搬送する。
【００６０】
ここで、紙幣処理装置１は、鑑別部１０により正常紙幣と判定された紙幣については出金部４に搬送する一方で、出金に適さない出金リジェクト紙幣と判定された紙幣については一時保留部１１に搬送して一時的に収納する。
【００６１】
そして、要求金額分の紙幣が出金部４へ集積されると、紙幣処理装置１は、シャッタを開ける。これにより出金部４内に集積されている紙幣の受け取りが可能な状態となり、職員がこの紙幣を受け取る。
【００６２】
その後、紙幣処理装置１は、一時保留部１１に収納している出金リジェクト紙幣を、リジェクト庫付き紙幣カセット１３のリジェクト庫１３Ｂへと搬送して保管する。
【００６３】
このようにして、紙幣処理装置１は、紙幣の入金処理及び出金処理を行うようになっている。
【００６４】
［１−３．入金部の構成］
次に、入金部の構成について、詳しく説明する。
【００６５】
図３に示すように、入金部３は、上面が開口している箱型の収納部３Ｂを有している。尚、ここでは、説明を簡単にする為に、入金部３を傾けていないが、実際には、図２に示したように前方に傾けられている。
【００６６】
この収納部３Ｂの底には、その一端側（例えば後端側）に、収納部３Ｂ内に投入された紙幣の取込口３Ｃが設けられている。
【００６７】
さらに入金部３には、収納部３Ｂの後壁から一部が突出するようにしてピックアップローラ２０が設けられ、さらに収納部３Ｂの後壁と平行な状態で、収納部３Ｂ内を前後方向にスライド可能な板状のビルプレス２１が設けられている。
【００６８】
ここで、入金部３の上面に設けられた開口全体のうち、このビルプレス２１と収納部３Ｂの後壁との間の部分の開口が、紙幣の投入口３Ａとなる。
【００６９】
この入金部３は、ビルプレス２１と収納部３Ｂの後壁との間の領域が、投入口３Ａから投入される紙幣を収納する紙幣収納領域Ａｒ１となっていて、ビルプレス２１と収納部３Ｂの前壁との間の領域が、ビルプレス２１をスライドさせるバネなどの内部機構２２が設けられた紙幣非収納領域Ａｒ２となっている。
【００７０】
さらに取込口３Ｃの下方近傍には、フィードローラ２３とゲートローラ２４とが前後方向に対向配置されている。
【００７１】
このような構成にくわえて、入金部３には、ビルプレス２１と収納部３Ｂの前壁との間に、折り畳み式のビルプレスシャッタ２５が設けられている。
【００７２】
このビルプレスシャッタ２５は、ビルプレス２１と収納部３Ｂの前壁との間の紙幣非収納領域Ａｒ２を覆うシャッタである。
【００７３】
このビルプレスシャッタ２５は、図４（Ａ）及び（Ｂ）に示すように、２枚の左右方向に長い長方形板状の部材２６Ａ及び２６Ｂを前後方向に蝶番状に連結した構造となっている。尚、ここでは前側の部材２６Ａを第１部材２６Ａと呼び、後側の部材２６Ｂを第２部材２６Ｂと呼ぶ。
【００７４】
この第１部材２６Ａは、収納部３Ｂの上面の開口の前側半分と同程度の面積を有し、第２部材２６Ｂは、開口の後側半分と同程度の面積を有している。すなわち、これら第１部材２６Ａ及び第２部材２６Ｂは、２枚で、収納部３Ｂの上面の開口を覆うことができる程度の面積を有している。
【００７５】
第１部材２６Ａは、前端部の中央部分が、連結部３０を介して収納部３Ｂの前壁の上端部分と連結されている。また第１部材２６Ａは、後端部の中央から所定間隔だけ左側にずれた箇所と右側にずれた箇所とが、それぞれ連結部３１Ａ及び３１Ｂを介して第２部材２６Ｂの前端部と連結されている。
【００７６】
一方、第２部材２６Ｂは、前端部中央から所定間隔だけ左側にずれた箇所と、右側にずれた箇所とが、それぞれ連結部３１Ａ及び３１Ｂを介して、第１部材２６Ａの後端部と連結されている。また第２部材２６Ｂは、後端部の中央部分が、連結部３２を介して、ビルプレス２１の背面の上端中央部分と連結されている。
【００７７】
ここで、連結部３０は、図５（Ａ）及び（Ｂ）に示すように、収納部３Ｂの前壁に突設された２つの板状の軸受部４０Ａ及び４０Ｂと、第１部材２６Ａの前端部に突設された２つの板状の軸受部４１Ａ及び４１Ｂと、シャフト４２とで構成されている。
【００７８】
４つの軸受部４０Ａ、４０Ｂ、４１Ａ、４１Ｂのそれぞれには、シャフト４２を通す孔として、左右方向に貫通する円形の軸孔４３が設けられている。
【００７９】
また第１部材２６Ａ側に設けられた２つの軸受部４１Ａ及び４１Ｂの間隔は、収納部３Ｂの前壁側に設けられた２つの軸受部４０Ａ及び４０Ｂの間隔より広くなっている。
【００８０】
そして、第１部材２６Ａ側に設けられた２つの軸受部４１Ａ及び４１Ｂが、それぞれ収納部３Ｂの前壁側に設けられた２つの軸受部４０Ａ及び４０Ｂの外側に位置する状態で、これら４つの軸受部４０Ａ、４０Ｂ、４１Ａ、４１Ｂの軸孔４３にシャフト４２が挿入されることで、第１部材２６Ａと収納部３Ｂの前壁とが連結されている。
【００８１】
すなわち、第１部材２６Ａは、左右方向に延在するシャフト４２を回転軸として回転自在に、収納部３Ｂの前壁と連結されている。
【００８２】
連結部３１Ａ及び３１Ｂについても、連結部３０と同様の構成であるので、説明を省略する。
【００８３】
ビルプレス２１と第２部材２６Ｂとを連結する連結部３２は、図６（Ａ）及び（Ｂ）に示すように、第２部材２６Ｂの後端部に突設された２つの板状の軸受部４４Ａ及び４４Ｂと、ビルプレス２１の背面に突設された２つの板状の軸受部４５Ａ及び４５Ｂと、シャフト４２とで構成されている。
【００８４】
４つの軸受部４４Ａ、４４Ｂ、４５Ａ、４５Ｂのうち、第２部材２６Ｂに設けられた軸受部４４Ａ、４４Ｂには、シャフト４２を通す孔として、左右方向に貫通する円形の軸孔４３が設けられている。
【００８５】
これに対して、ビルプレス２１に設けられた軸受部４５Ａ、４５Ｂには、シャフト４２を通す孔として、左右方向に貫通する楕円形の軸孔４６が設けられている。この軸孔４６が円形ではなく楕円形である点が、他の連結部３０、３１Ａ及び３１Ｂとは異なる点である。
【００８６】
またビルプレス２１側に設けられた２つの軸受部４５Ａ及び４５Ｂの間隔は、第２部材２６Ｂ側に設けられた２つの軸受部４４Ａ及び４４Ｂの間隔より広くなっている。
【００８７】
そして、ビルプレス２１側に設けられた２つの軸受部４５Ａ及び４５Ｂが、それぞれ第２部材２６Ｂ側に設けられた２つの軸受部４４Ａ及び４４Ｂの外側に位置する状態で、これら４つの軸受部４４Ａ、４４Ｂ、４５Ａ、４５Ｂの軸孔４３、４６にシャフト４２が挿入されることで、ビルプレス２１と第２部材２６Ｂとが連結されている。
【００８８】
すなわち、第２部材２６Ｂは、左右方向に延在するシャフト４２を回転軸として回転自在に、ビルプレス２１と連結されている。
【００８９】
ここで、シャフト４２の断面が円形であるのに対して、ビルプレス２１側の２つの軸受部４５Ａ及び４５Ｂのそれぞれに設けられた軸孔４６は、シャフト４２の断面より大きな、前後方向に長い楕円形となっている。
【００９０】
すなわち、ビルプレス２１側の２つの軸受部４５Ａ及び４５Ｂのそれぞれに設けられた軸孔４６には、シャフト４２が回転するだけでなく、前後方向にずれることもできるように遊びが設けられている。
【００９１】
これにより、ビルプレス２１は、図７（Ａ）〜（Ｃ）に示すように、収納部３Ｂの後壁の壁面と平行な状態から、左端を後方にずらすと共に右端を前方にずらすように、またはその逆に姿勢を傾けることができるようになっている。
【００９２】
ビルプレスシャッタ２５は、このような構成でなり、実際、ビルプレス２１が収納部３Ｂの前壁近傍に位置しているときには、第１部材２６Ａの前端と第２部材２６Ｂの後端とを近づけるように閉じて折り畳まれた状態となっている。
【００９３】
このとき、第１部材２６Ａと第２部材２６Ｂとを連結する連結部３１Ａ及び３１Ｂは、連結部３０及び３２より下方に位置する。つまり、ビルプレスシャッタ２５は、Ｖ字型に折り畳まれた状態となっている。
【００９４】
この状態から、ビルプレス２１が後方にスライドしていくと、図４（Ａ）に示したように、ビルプレスシャッタ２５は、第１部材２６Ａの前端と第２部材２６Ｂの後端とを遠ざけるように開いて展開していく。
【００９５】
すなわち、ビルプレスシャッタ２５は、Ｖ字の開きを大きくするようにして展開していく。
【００９６】
このように、ビルプレスシャッタ２５は、ビルプレス２１の後方へのスライドにともなって、折り畳まれた状態から、後方に広がっていくように展開していき、ビルプレス２１と収納部３Ｂの前壁との間の紙幣非収納領域Ａｒ２の上部を常に覆うようになっている。
【００９７】
次に、実際に、紙幣を入金するときの入金部３の動作について説明する。入金部３は、紙幣投入時には、図３に示したように、ビルプレス２１が収納部３Ｂの前壁近傍に位置している。このときのビルプレス２１の位置を初期位置とも呼ぶ。
【００９８】
このとき、ビルプレスシャッタ２５は、ビルプレス２１と収納部３Ｂの前壁との間に折り畳まれて格納された状態となっている。
【００９９】
すなわち、このとき、入金部３は、ビルプレス２１と収納部３Ｂの後壁との間の紙幣収納領域Ａｒ１が最も大きく広げられている状態であり、投入口３Ａから、この紙幣収納領域Ａｒ１内に紙幣を投入すればよい旨を容易に職員に認識させ得るようになっている。
【０１００】
ここで、職員が、投入口３Ａから、ビルプレス２１と収納部３Ｂの後壁との間の紙幣収納領域Ａｒ１内に紙幣ＢＬを投入したとする。
【０１０１】
すると、入金部３は、ビルプレス２１を収納部３Ｂの後壁へと近づけるようにスライドさせていく。
【０１０２】
このようにビルプレス２１をスライドさせると、ビルプレス２１と収納部３Ｂの後壁との間の紙幣収納領域Ａｒ１が狭まっていく一方で、ビルプレス２１と収納部３Ｂの前壁との間の紙幣非収納領域Ａｒ２は広がっていく。
【０１０３】
このとき、図４（Ａ）に示したように、ビルプレスシャッタ２５が紙幣非収納領域Ａｒ２の上部を覆いながら展開していくことで、紙幣非収納領域Ａｒ２は、このビルプレスシャッタ２５により常に塞がれた状態となる。
【０１０４】
これにより、職員が、紙幣非収納領域Ａｒ２内に誤って紙幣を投入したり、この紙幣非収納領域Ａｒ２内に、紙幣以外の異物を投入したりすることを防ぐことができる。
【０１０５】
さらに入金部３は、ビルプレス２１をスライドさせていき、このビルプレス２１によって紙幣をピックアップローラ２０に押し付ける。
【０１０６】
このようにして、入金部３は、紙幣をビルプレス２１とピックアップローラ２０との間で挟持する。
【０１０７】
ここで、ビルプレス２１は、図７（Ｃ）に示したように、収納部３Ｂの後壁の壁面（これを押付面とも呼ぶ）と平行な状態から、左端を後方にずらすと共に右端を前方にずらすように、またはその逆に姿勢を傾けることができるようになっている。つまり、ビルプレス２１は、収納部３Ｂの後壁の押付面に対して傾くことができるようになっている。
【０１０８】
これにより、例えば、投入される紙幣の種類や状態の違いによって、紙幣束の厚みに左右で差が生じるような場合でも、その差に応じて姿勢を傾けることができるので、紙幣の束をより確実にピックアップローラ２０との間で挟持することができる。
【０１０９】
換言すれば、より確実に、紙幣をピックアップローラ２０に押し当てることができるとも言える。
【０１１０】
ここで、ピックアップローラ２０に押し付けられた紙幣は、このピックアップローラ２０が回転することにより１枚ずつ分離させられて下方の取込口３Ｃへと繰り出され、さらにフィードローラ２３とゲートローラ２４とにより取込口３Ｃから紙幣処理装置１の内部へと取り込まれていく。
【０１１１】
このようにして、紙幣処理装置１は、入金部３により、入金紙幣を１枚ずつ取り込んでいく。
【０１１２】
そして、全ての紙幣の取り込みが完了すると、入金部３は、ビルプレス２１を、前方にスライドさせて、元の位置（初期位置）に戻す。このとき、ビルプレスシャッタ２５は、再び折り畳まれて、ビルプレス２１と収納部３Ｂの前壁との間に格納される。
【０１１３】
［１−４．効果］
以上の構成において、紙幣処理装置１は、ビルプレス２１と収納部３Ｂの前壁との間に、ビルプレス２１が収納部３Ｂの後壁側にスライドすることにともなってビルプレス２１と収納部３Ｂの前壁との間の紙幣非収納領域Ａｒ２を覆うように展開されるビルプレスシャッタ２５を設けるようにした。
【０１１４】
こうすることで、入金時に、ビルプレス２１が後方にスライドするにつれて広がる紙幣非収納領域Ａｒ２を、ビルプレスシャッタ２５により塞ぐことができる。
【０１１５】
かくして、紙幣処理装置１は、入金時に、紙幣非収納領域Ａｒ２には紙幣を投入してはいけないことを職員に認識させることができると共に、職員が紙幣非収納領域Ａｒ２内に誤って紙幣を投入したり、この紙幣非収納領域Ａｒ２内に紙幣以外の異物を投入したりすることを防ぐことができる。
【０１１６】
またこのビルプレスシャッタ２５は、ビルプレス２１の背面の上端部分と収納部３Ｂの前壁の上端部分とに連結され、ビルプレス２１がスライドする力を利用して、折り畳まれた状態から展開されるようにした。
【０１１７】
これにより、紙幣処理装置１は、電動式のシャッタのような大掛かりな機構を別途追加することなく、簡易な構成で、且つ複雑な制御を必要とせずに、紙幣非収納領域Ａｒ２への紙幣の誤投入を防ぐことができる。
【０１１８】
またビルプレス２１とビルプレスシャッタ２５との間の連結部３２に、ビルプレス２１が収納部３Ｂの後壁の押付面に対して傾くことができるように遊びを設けるようにした。
【０１１９】
これにより、左右で厚さの異なる紙幣束を、ビルプレス２１と収納部３Ｂの押付面に設けられたピックアップローラ２０との間で挟持する場合に、紙幣束の厚さの違いに応じてビルプレス２１を傾けることができ、これにより、左右で厚さの異なる紙幣束であっても、確実に、ビルプレス２１とピックアップローラ２０との間で挟持することができる。
【０１２０】
さらに、このように、ビルプレス２１の連結部３２に遊びを設けたことで、ビルプレス２１が傾いても、ビルプレスシャッタ２５は、その影響を受けずにスムーズに後方向に展開することができる。
【０１２１】
以上の構成によれば、紙幣処理装置１は、電動式のシャッタのような大掛かりな機構を別途設けることなく、紙幣非収納領域Ａｒ２に紙幣を投入してはいけないことを職員に認識させることができると共に、この紙幣非収納領域Ａｒ２に媒体が誤投入されることを防ぐことができ、かくして簡易な構成でありながら、紙幣の誤投入を防止することができる。
【０１２２】
［２．第２の実施の形態］
次に第２の実施の形態について説明する。この第２の実施の形態は、入金部の構成が第１の実施の形態とは異なる実施の形態である。ゆえに、ここでは、入金部の構成についてのみ説明することとする。
【０１２３】
［２−１．入金部の構成］
図８に、第２の実施の形態の入金部５０を示す。尚、この図１２は、第１の実施の形態の入金部３と同一の部分については、同一符号を付してある。
【０１２４】
この第２の実施の形態の入金部５０は、収納部３Ｂの上面に設けられた開口の前端部分を覆うようにしてカバー５１が設けられている。
【０１２５】
このカバー５１は、ビルプレス２１が収納部３Ｂの前壁近傍に位置しているとき、すなわち初期位置にあるとき、このビルプレス２１と収納部３Ｂの前壁との間の隙間（すなわち紙幣非収納領域Ａｒ２）の上部を覆うようになっている。
【０１２６】
このカバー５１は、収納部３Ｂと一体成型されていてもよいし、収納部３Ｂとは別の部品として、収納部３Ｂに取り付けられていてもよい。
【０１２７】
実際、ビルプレス２１が収納部の前壁近傍に位置しているとき、ビルプレスシャッタ２５は、Ｖ字形に折り畳まれていることにより、ビルプレスシャッタ２５自体が、凹部となってしまう。
【０１２８】
このようにビルプレスシャッタ２５自体が凹部となっていると、職員が誤って投入口３Ａではなくこの凹部に紙幣を投入しようとしたり、この凹部に異物が投入されてしまったりすることが考えられる。
【０１２９】
そこで、この第２の実施の形態では、収納部３Ｂの上面に設けられた開口の前端部分を覆うようにしてカバー５１を設けるようにした。
【０１３０】
つまり、ビルプレス２１が初期位置にあるときの、ビルプレスと収納部３Ｂの前壁との間の部分を覆うように、カバー５１を設けるようにした。
【０１３１】
これにより、ビルプレスシャッタ２５が折り畳まれているときに、このビルプレスシャッタ２５の上方にカバー５１が位置することになり、折り畳まれているビルプレスシャッタ２５がこのカバー５１により覆われる。
【０１３２】
こうすることで、折り畳まれているビルプレスシャッタ２５により形成される凹部もこのカバー５１で覆われることになり、この凹部に、職員が誤って紙幣を投入しようとしたり、紙幣以外の異物が投入されたりすることを防ぐことができる。
【０１３３】
尚、このカバー５１が収納部３Ｂの上面に設けられた開口全体を覆ってしまうと、当然のことながら、投入口３Ａまで塞がれてしまい、紙幣を投入できなくなるので、ここでは、開口の前端部分のみを覆うようにして、紙幣の投入を妨げることのないようになっている。
【０１３４】
［３．他の実施の形態］
［３−１．他の実施の形態１］
尚、上述した第１及び第２の実施の形態では、入金部３に、板状の第１部材２６Ａと第２部材２６Ｂとを連結した折り畳み式のビルプレスシャッタ２５を設けるようにした。
【０１３５】
これに限らず、ビルプレスシャッタ２５と同様に機能するものであれば、ビルプレスシャッタ２５とは異なるシャッタを用いるようにしてもよい。
【０１３６】
例えば、図９（Ａ）及び（Ｂ）に示すように、入金部３に、折り畳み式のビルプレスシャッタ２５の変わりに、薄いフィルム状の素材でなるビルプレスシャッタ６０を設けるようにしてもよい。
【０１３７】
このフィルム状の素材でなるビルプレスシャッタ６０は、収納部３Ｂの上面の開口と同程度の面積を有する四角形状となっている。
【０１３８】
このビルプレスシャッタ６０は、その前端部が、収納部３Ｂの前壁の上端部分に固定されている。またこのビルプレスシャッタ６０は、その後端部が、ビルプレス２１の背面の上端部分に固定されている。
【０１３９】
ビルプレスシャッタ６０は、このような構成でなり、実際、ビルプレス２１が収納部３Ｂの前壁近傍に位置しているときには、下方に垂れ下がるように撓んで折り畳まれた状態となっている。
【０１４０】
この状態から、ビルプレス２１が後方にスライドしていくと、ビルプレスシャッタ６０は、これに合わせて、後方に広がるように展開していく。
【０１４１】
このように、ビルプレスシャッタ６０は、ビルプレス２１の後方へのスライドにともなって、折り畳まれた状態から、後方に広がるように展開していき、ビルプレス２１と収納部３Ｂの前壁との間の紙幣非収納領域Ａｒ２の上部を覆うようになっている。
【０１４２】
これにより、職員が、紙幣非収納領域Ａｒ２内に誤って紙幣を投入したり、この紙幣非収納領域Ａｒ２内に、紙幣以外の異物を投入したりすることを防ぐことができる。
【０１４３】
その後、ビルプレスシャッタ６０は、例えば、紙幣の入金が完了して、ビルプレス２１が初期位置に戻るようスライドすることにともなって、再び折り畳まれた状態に戻るようになっている。
【０１４４】
さらにこのようなフィルム状の素材でなるビルプレスシャッタ６０を、収納部３Ｂ内に折り畳んで格納するのではなく、収納部３Ｂの外側のスペースに格納するようにし、ビルプレス２１のスライドにともなって、収納部３Ｂの外側から収納部３Ｂ内に引き入れるようにしてもよい。
【０１４５】
この場合の例を、図１０（Ａ）及び（Ｂ）に示す。この入金部３は、収納部３Ｂの前壁の上端部に、ビルプレスシャッタ６０が通る孔６１が設けられている。この孔６１は、収納部３Ｂの外側に設けられたシャッタ格納部Ａｒ３と繋がっている。このシャッタ格納部Ａｒ３は、紙幣処理装置１の内部に設けられている。
【０１４６】
ビルプレスシャッタ６０は、収納部３Ｂに設けられた孔６１に通されていて、前端部が収納部３Ｂの外側、後端部が収納部３Ｂの内側に位置するようになっている。
【０１４７】
ここで、ビルプレスシャッタ６０の後端部は、ビルプレス２１の背面の上端部分に固定されている。一方で、ビルプレスシャッタ６０の前端部には、収納部３Ｂに設けられた孔６１より大きなストッパ６２が取り付けられている。
【０１４８】
このストッパ６２は、例えば、一定の重さでなる金属球でなり、ビルプレスシャッタ６０の前端部が、孔６１を通って収納部３Ｂの内側に入ってしまうことを防ぐだけでなく、ビルプレスシャッタ６０の前端部を、その重みで下方に引っ張るようにもなっている。
【０１４９】
そして、実際、ビルプレス２１が収納部３Ｂの前壁近傍に位置しているときには、ビルプレスシャッタ６０のほぼ全体が、収納部３Ｂの前壁に設けられた孔６１から外側に出て、シャッタ格納部Ａｒ３に格納された状態となっている。
【０１５０】
この状態から、ビルプレス２１が後方にスライドしていくと、ビルプレスシャッタ６０は、このビルプレス２１に引っ張られるようにして、収納部３Ｂの前壁に設けられた孔６１から、収納部３Ｂの内側に引き出されていく。
【０１５１】
このように、ビルプレスシャッタ６０は、ビルプレス２１の後方へのスライドにともなって、収納部３Ｂの外側に設けられたシャッタ格納部Ａｒ３から、収納部３Ｂの前壁に設けられた孔６１を通って、収納部３Ｂの内側に引き出されていき、ビルプレス２１と収納部３Ｂの前壁との間の紙幣非収納領域Ａｒ２の上部を常に覆うようになっている。
【０１５２】
これにより、職員が、紙幣非収納領域Ａｒ２内に誤って紙幣を投入したり、この紙幣非収納領域Ａｒ２内に、紙幣以外の異物を投入したりすることを防ぐことができる。
【０１５３】
その後、ビルプレスシャッタ２５は、例えば、紙幣の入金が完了して、ビルプレス２１が初期位置に戻るようスライドすると、前端部がストッパ６２の重みにより下方に引っ張られていることで、収納部３Ｂの前壁に設けられた孔６１を通り、シャッタ格納部Ａｒ３に格納されるようになっている。
【０１５４】
また例えば、図１１（Ａ）及び（Ｂ）に示すように、入金部３に、折り畳み式のビルプレスシャッタ２５の変わりに、複数枚の板状部材を前後方向にスライドさせるスライド式のビルプレスシャッタ７０を設けるようにしてもよい。
【０１５５】
このビルプレスシャッタ７０は、例えば、３枚の長方形板状の部材７１Ａ、７１Ｂ、７１Ｃを上下方向に連結した構造となっている。尚、ここでは一番上の部材７１Ａを第１部材７１Ａ、中間の部材７１Ｂを第２部材７１Ｂ、一番下の部材７１Ｃを第３部材７１Ｃと呼ぶ。
【０１５６】
これら第１部材７１Ａ、第２部材７１Ｂ、第３部材７１Ｃは、それぞれ、収納部３Ｂの上面の開口の１／３程度の面積を有している。すなわち、これら第１部材７１Ａ、第２部材７１Ｂ、第３部材７１Ｃは、３枚で、収納部３Ｂの上面の開口を覆うことができる程度の面積を有している。
【０１５７】
第１部材７１Ａは、その前端部が、収納部３Ｂの前壁の上端部分に固定されている。またこの第１部材７１Ａの下に位置する第２部材７１Ｂは、第１部材７１Ａに対して、連結部７２Ａを介して前後方向にスライド可能に連結されている。
【０１５８】
またこの第２部材７１Ｂの下に位置する第３部材７１Ｃは、第２部材７１Ｂに対して、連結部７２Ｂを介して前後方向にスライド可能に連結されている。
【０１５９】
さらにこの第３部材７１Ｃの下に、ビルプレス２１の上端部が位置していて、第３部材７１Ｃは、ビルプレス２１の上端部に対して、連結部７２Ｃを介して前後方向にスライド可能に連結されている。
【０１６０】
ビルプレスシャッタ７０は、このような構成でなり、実際、ビルプレス２１が収納部３Ｂの前壁近傍に位置しているときには、第１部材７１Ａの下に第２部材７１Ｂ、第２部材７１Ｂの下に第３部材７１Ｃ、第３部材７１Ｃの下にビルプレス２１が位置するように層状に重ねられて畳まれた状態となっている。
【０１６１】
この状態から、ビルプレス２１が後方にスライドしていくと、ビルプレスシャッタ２５は、これに合わせて、第２部材７１Ｂと第３部材７１Ｃのそれぞれが後方にスライドするようにして展開していく。
【０１６２】
このように、ビルプレスシャッタ２５は、ビルプレス２１の後方へのスライドにともなって、上下に重ねられて畳まれた状態から、後方に広がるように展開していき、ビルプレス２１と収納部３Ｂの前壁との間の紙幣非収納領域Ａｒ２の上部を常に覆うようになっている。
【０１６３】
これにより、職員が、紙幣非収納領域Ａｒ２内に誤って紙幣を投入したり、この紙幣非収納領域Ａｒ２内に、紙幣以外の異物を投入したりすることを防ぐことができる。
【０１６４】
またこのビルプレスシャッタ７０の場合、畳まれた状態でも凹部が形成されないので、上述したようなカバー５１を設ける必要がなく、その分、構成を簡略化できるとも言える。
【０１６５】
尚、各連結部７２（７２Ａ〜７２Ｃ）については、各部材７１（７１Ａ〜７１Ｃ）を前後方向にスライド自在に連結できる構成であればどのような構成であってもよい。
【０１６６】
具体的な例としては、連結部７２Ａを、上側の第１部材７１Ａに設けられた前後方向の溝（図示せず）と、下側の第２部材７１Ｂの上面に突設された突起部（図示せず）とで構成する。
【０１６７】
そして、下側の第２部材７１Ｂに設けられた突起部を上側の第１部材７１Ａに設けられた溝にスライド自在に嵌合することで、上側の第１部材７１Ａと下側の第２部材７１Ｂとを連結するようにする。また、この場合、突起部を断面Ｔ字型に形成するなどして、溝から抜け落ちないようにする。他の連結部７２Ｂ、７２Ｃについても、同様の構成とする。
【０１６８】
さらに上述したビルプレスシャッタ６０や７０に限らず、これらとは異なる機構のビルプレスシャッタを用いるようにしてもよい。
【０１６９】
また、例えば図１２（Ａ）及び（Ｂ）に示すように、ビルプレスシャッタ２５の代わりに、ビルプレス２１の上端部分と、収納部３Ｂの前壁の上端部分との間に１本又は複数本の紐状部材７３（７３Ａ、７３Ｂ）を掛け渡すようにしてもよい。
【０１７０】
この場合、ビルプレスシャッタ２５のように紙幣非収納領域Ａｒ２の上部を覆うわけではないが、このような紐状部材７３を掛け渡すだけでも、ビルプレスシャッタ２５ほどの効果はないものの、紙幣非収納領域Ａｒ２には紙幣を投入してはいけないことを職員に認識させることができ、紙幣の誤投入を減らすことができる。
【０１７１】
［３−２．他の実施の形態２］
また、上述した第１の実施の形態では、入金部３に、Ｖ字型に折り畳まれるビルプレスシャッタ２５を設けるようにした。
【０１７２】
このビルプレスシャッタ２５は、上述したように、折り畳まれたときに、ビルプレスシャッタ２５自体が下方に凹んだ凹部となってしまう。
【０１７３】
そこで、このビルプレスシャッタ２５の代わりに、図１３に示すように、折り畳まれたときに、上方に突する逆Ｖ字型のビルプレスシャッタ８０を設けるようにしてもよい。
【０１７４】
このようにすれば、折り畳まれたときでも、ビルプレスシャッタ２５が凹部とはならず、Ｖ字型のビルプレスシャッタ２５で生じる問題を解決できる。
【０１７５】
また、図１４に示すように、折り畳まれたときのビルプレスシャッタ８０を覆うように、収納部３Ｂの上端の前端部分にカバー８１を設けるようにしてもよい。
【０１７６】
［３−３．他の実施の形態３］
さらに、上述した第１の実施の形態では、入金部３に、同サイズの２枚の第１部材２６Ａと第２部材２６Ｂとを連結してなるビルプレスシャッタ２５を設けるようにした。
【０１７７】
これに限らず、例えば、図１５（Ａ）、（Ｂ）及び図１６に示すように、第１部材２６Ａと、この第１部材２６Ａより前後方向に長い（例えば２倍程度長い）第２部材９０とを連結してなるビルプレスシャッタ９１を設けるようにしてもよい。
【０１７８】
尚、ここでは、説明を簡単にする為、第２部材９０を、第１部材２６Ａと同サイズの前部９０Ａと、後部９０Ｂとに分けている。
【０１７９】
すなわち、第２部材９０は、後部９０Ｂの分だけ、第１部材２６Ａより前後方向に長くなっている。
【０１８０】
この第２部材９０は、前部９０Ａの前端部分が、連結部３１Ａ及び３１Ｂを介して、第１部材２６Ａの後端部と連結されている。またこの第２部材は、前部９０Ａと後部９０Ｂとの境界部分が、連結部９２を介して、ビルプレス２１の背面の上端中央部分と連結されている。
【０１８１】
ここで、連結部９２は、例えば、図１７（Ａ）及び（Ｂ）に示すように、第２部材９０の下面に突設された２つの板状の軸受部９３Ａ及び９３Ｂと、ビルプレス２１の背面に突設された２つの板状の軸受部９４Ａ及び９４Ｂと、シャフト９５とで構成されている。
【０１８２】
４つの軸受部９３Ａ、９３Ｂ、９４Ａ、９４Ｂのうち、第２部材９０に設けられた軸受部９３Ａ、９３Ｂには、シャフト９５を通す孔として、左右方向に貫通する円形の軸孔９６が設けられている。
【０１８３】
これに対して、ビルプレス２１に設けられた軸受部９４Ａ、９４Ｂには、シャフト９５を通す孔として、左右方向に貫通する楕円形の軸孔９７が設けられている。軸孔９７を楕円形とした理由は、第１の実施の形態と同様、ビルプレス２１を傾けることができるようにするためである。
【０１８４】
またビルプレス２１側に設けられた２つの軸受部９４Ａ及び９４Ｂの間隔は、第２部材９０側に設けられた２つの軸受部９３Ａ及び９３Ｂの間隔より広くなっている。
【０１８５】
そして、ビルプレス２１側に設けられた２つの軸受部９４Ａ及び９４Ｂが、それぞれ第２部材９０側に設けられた２つの軸受部９３Ａ及び９３Ｂの外側に位置する状態で、これら４つの軸受部９３Ａ、９３Ｂ、９４Ａ、９４Ｂの軸孔９６、９７にシャフト９５が挿入されることで、ビルプレス２１と第２部材９０とが連結されている。
【０１８６】
すなわち、第２部材９０は、左右方向に延在するシャフト９５を回転軸として回転自在に、ビルプレス２１と連結されている。
【０１８７】
ビルプレスシャッタ９１は、このような構成でなり、実際、ビルプレス２１が収納部３Ｂの前壁近傍に位置しているときには、第１部材２６Ａの前端と第２部材９０の後端とを近づけるようにして折り畳まれた状態となっている。このとき、第２部材９０の後部９０Ｂが、ビルプレス２１の上端部より上方に突出するようになっている。
【０１８８】
この状態から、ビルプレス２１が後方にスライドしていくと、ビルプレスシャッタ９１は、第１部材２６Ａの前端と第２部材９０の後端とを遠ざけるようにして展開していく。
【０１８９】
このとき、ビルプレスシャッタ９１は、Ｖ字の開きを大きくするようにして展開していく。
【０１９０】
このように、ビルプレスシャッタ９１は、ビルプレス２１の後方へのスライドにともなって、折り畳まれた状態から、後方に広がっていくように展開していき、ビルプレス２１と収納部３Ｂの前壁との間の紙幣非収納領域Ａｒ２の上部を常に覆うようになっている。
【０１９１】
さらに、このビルプレスシャッタ９１は、ビルプレス２１が収納部３Ｂの後壁に近づくと、第２部材９０の後部９０Ｂが、ビルプレス２１より後方に突出する。
【０１９２】
このとき、ビルプレス２１より後方に突出している部分、すなわち第２部材９０の後部が、ビルプレス２１と収納部３Ｂの後壁との間の部分の開口、すなわち投入口３Ａの上部を覆うことになる。
【０１９３】
こうすることで、このビルプレスシャッタ９１は、紙幣非収納領域Ａｒ２を覆うだけでなく、投入された紙幣をビルプレス２１がピックアップローラ２０に押し当てて、紙幣を１枚ずつ取り込んでいるときには、紙幣の取り込みが正常に行われるよう、投入口３Ａも塞ぐことができる。
【０１９４】
また、図１８に示すように、折り畳まれたときに上方に突出するビルプレスシャッタ９１の後部９０Ｂを覆うように、収納部３Ｂの上端の前端部分にカバー９８を設けるなどしてもよい。このようにすれば、上方に突出する後部９０Ｂの破損を防ぐことができる。
【０１９５】
［３−４．他の実施の形態４］
さらに、上述した第１の実施の形態では、ビルプレスシャッタ２５の連結部３０として、４つの軸受部４０Ａ、４０Ｂ、４１Ａ、４１Ｂとシャフト４２からなる機構を用いるようにした。
【０１９６】
これに限らず、収納部３Ｂの前壁と第１部材２６Ａとを回転自在に連結可能な機構であれば、４つの軸受部４０Ａ、４０Ｂ、４１Ａ、４１Ｂとシャフト４２からなる機構とは異なる機構を用いるようにしてもよい。他の連結部３１Ａ、３１Ｂ、３２についても同様である。
【０１９７】
［３−５．他の実施の形態５］
さらに、上述した第１の実施の形態では、ビルプレス２１を傾き自在とするために、連結部３２の軸孔４６の形状を楕円形とした。
【０１９８】
これに限らず、軸孔４６の形状を、例えば、陸上競技場のトラックのような角丸長方形としてもよい。このようにしても、ビルプレス２１を傾き自在とすることができる。
【０１９９】
［３−６．他の実施の形態６］
さらに、ここまでの説明では、媒体プレス部の具体的な例としてビルプレス２１、展開部の具体的な例としてビルプレスシャッタ２５、６０、７０、８０、９１を用いるようにしたが、これに限らず、これらと同様に機能するものであれば、これらビルプレス２１及びビルプレスシャッタ２５、６０、７０、８０、９１とは異なる機構の媒体プレス部及び展開部を用いるようにしてもよい。
【０２００】
［３−７．他の実施の形態７］
さらに、上述した実施の形態では、本発明を、職員や顧客が操作する職員・顧客操作型端末としての紙幣処理装置１に適用したが、本発明は、これに限らず、入金部３のような入金専用の機構を有する装置であれば、例えば、ＡＴＭなど、種々の装置に適用することができる。
【０２０１】
また、上述した実施の形態では、本発明を、紙幣を扱う紙幣処理装置１に適用したが、これに限らず、紙、切符など、紙幣以外の紙葉類を媒体として処理する媒体処理装置であっても、入金部３と同様に機能する機構を有する媒体処理装置であれば、適用することができる。
【０２０２】
［３−８．他の実施の形態８］
さらに、本発明は、上述した実施の形態と、上述した他の実施の形態とに限定されるものではない。すなわち本発明は、上述した実施の形態と上述した他の実施の形態の一部または全部を任意に組み合わせた実施の形態や、一部を抽出した実施の形態にもその適用範囲が及ぶものである。
【産業上の利用可能性】
【０２０３】
本発明は、紙幣を扱う紙幣処理装置などの装置で広く利用することができる。
【符号の説明】
【０２０４】
１……紙幣処理装置、３、５０、２００……入金部、３Ａ、２００Ｂ……投入口、３Ｂ、２００Ａ……収納部、３Ｃ、２００Ｃ……取込口、２０、２０１……ピックアップローラ、２１、２０２……ビルプレス、２５、６０、７０、８０、９１……ビルプレスシャッタ、５１、９８……カバー。
【図１】
2014099034.tif 000003
【図２】
2014099034.tif 000004
【図３】
2014099034.tif 000005
【図４】
2014099034.tif 000006
【図５】
2014099034.tif 000007
【図６】
2014099034.tif 000008
【図７】
2014099034.tif 000009
【図８】
2014099034.tif 000010
【図９】
2014099034.tif 000011
【図１０】
2014099034.tif 000012
【図１１】
2014099034.tif 000013
【図１２】
2014099034.tif 000014
【図１３】
2014099034.tif 000015
【図１４】
2014099034.tif 000016
【図１５】
2014099034.tif 000017
【図１６】
2014099034.tif 000018
【図１７】
2014099034.tif 000019
【図１８】
2014099034.tif 000020
【図１９】
2014099034.tif 000021